(57)【特許請求の範囲】
【請求項１】
広告データと、ニュースと、リンクデータを含んでワンクリックで連結されるバナーからなる複数の第１リンク手段と、業種別に分類された少なくとも１段のサブメニューを含んで最下位のサブメニューにリンクデータを含む複数の第２リンク手段と、接続しようとするサイトのＵＲＬアドレスを入力できるＵＲＬ入力窓と、プログラムを駆動させる複数の短縮アイコンとが表示される補助画面と、使用者プログラムあるいはウェブブラウザが表示される主画面をそれぞれ表示する、物理的に互いに区分された二つのモニターと、登録されたユーザのアクセスに応じてシステムサーバーからインターネットを通じて提供される前記複数の第１及び第２リンク手段と広告データ及びニュースを前記補助画面に表示するとともに、前記補助画面に表示される複数の第１及び第２リンク手段の中から選択されたいずれか一つあるいは広告データが選択されると、該当情報提供サーバーあるいは広告主サーバーからインターネットを通じて提供される情報をウェブブラウザを通じて前記主画面に表示させ、前記ＵＲＬ入力窓を通じてＵＲＬアドレスが入力されると、該当アドレスのウェブページをウェブブラウザを通じて前記主画面に表示させ、前記複数の短縮アイコンの中からいずれか一つが選択されると、該当プログラムをローディングして前記主画面に表示させる画像処理部を備えた、インターネットに連結された使用者コンピューターと、
広告のコードを示す広告コード、複数の広告主サーバから提供され、表示される広告内容が含まれて動映像あるいは停止映像形態で表示がなされるデータ、前記広告データをクリックすると連結される前記データを提供する広告主サーバーを連結させるためのリンクデータから構成される基本部と、広告が表示される時間を指定する時間データ、前記データが前記補助画面上で表示される位置を指定する表示位置データから構成された拡張部からなる、前記補助画面に表示される複数の広告データを、前記使用者コンピューターに提供する広告サーバーと、前記補助画面に表示されるニュースを提供するニュースサーバーとを備え、情報を提供する複数の情報提供サーバーを連結させる複数の第１及び第２リンク手段と、前記広告サーバーから提供される広告データと、前記ニュースサーバーから提供されるニュースをインターネットを通じて前記使用者コンピューターに提供するシステムサーバーとから構成されたことを特徴とする、主画面と補助画面からなるモニターを用いるインターネット広告システム。
【発明の詳細な説明】
【０００１】
【発明の属する技術分野】
本発明は主画面と補助画面からなるモニタを用いるインターネット広告システム及びその方法、より詳しくはモニタの主画面以外のいずれかの一部分に別途の補助画面を追加したモニタを具備し、前記補助画面に多数のリンク手段を表示してユーザが所用のリンク手段を選択すると、リンクされた資料がユーザの主画面に表示されることによって、モニタの主画面に「ＥＸＰＬＯＲＥＲ」や「ＮＥＴＳＣＡＰＥ」等のようなウェブブラウザー（web browser）を通じるウェブページの表示如何に関係なくいつもユーザが前述した補助画面を通じて広告を見知できるようにして広告効果を向上する主画面と補助画面からなるモニタを用いるインターネット広告システム及びその方法に関する。
【０００２】
インターネット利用者の急激な増加に応じてインターネットを通じる広告が活性化している。相当な購買力を有するインターネット利用者数に基づいてインターネット広告市場はＴＶ、新聞、雑誌等の既存媒体に比べて相対的に短い時間に急成長している。
【０００３】
【従来技術】
このような既存のインターネット広告方法としてはユーザがサイトに接続すると、文字情報の間にボックス（box）形態（ベナー）で広告内容を表示した後、ユーザがそのベナーをクリックすると、より詳細な広告がディスプレーされるかベナー広告主のウェブサイトに移動するベナー広告、相互補完的な関係にあるサイト等が自身のサイトに他のサイトを接続し得るリンクを提供する方式の提携広告、サイトにさらに接続する時に広告内容を見せる別途のブラウザーが浮くパップアップ（pop up）広告、広告内容を蓄えるメールをインターネットユーザのメールアカウントに週期的に送る強制的方式の電子メール（e-mail）広告等が使用されている。
【０００４】
【発明が解決しようとする課題】
このような従来のインターネット広告方法はユーザがいつも関聯サイトを訪問して広告をクリックしなければならなく、またユーザがサイトから外れると、広告が見知できないので一回性広告になって広告の効果がおちる問題点があり、大部分のインターネットユーザに一方的に広告を伝達する方式であるからユーザが非常に憚り、かえって否定的な広告効果を誘発し、広告掲載領域と露出時間の限界上静止画像のグラフィックやテキストで構成されるかまたは単純なアニメーションで構成される等不規則で粗雑であるので訪問者の関心を呼び起こすに限界があるので広告効果が低下する問題点がある。また、広告を表示する領域分をユーザの作業領域を占有するので非常に不便だという問題点がある。
【０００５】
従って、本発明は、このような従来技術の問題点を勘案して案出されたものとして、その目的はユーザの作業環境に影響をおよぼさないように主画面と別途の補助画面を具備したモニタを利用してインターネット広告システムを駆逐することによって、時間と空間の制約を克服し、ユーザの便宜機能と広告日程の管理機能を内臓して体系的で動的な広告放送ができる主画面と補助画面からなるモニタを用いるインターネット広告システム及びその方法を提供することにある。
【０００６】
【課題を解決するための手段】
前述した目的を達成するために、本発明はユーザが用いるプログラムの主処理内容が表示される主画面と、ユーザが使用するコンピュータの使用環境表示とメディア表示とウェブページを連結するリンク手段等が表示される補助画面で構成されるモニタを表示手段として用いるコンピュータでなり、インターネットに連結される多数のユーザコンピュータと、前記ユーザコンピュータに各種情報とリンク手段をインターネットを通じて提供してそれを前記モニタの補助画面に表示するシステムサーバと、前記システムサーバに連結されてユーザコンピュータの補助画面に表示される各種情報とリンク手段の被連結体になる多数の情報提供サーバで構成されることを特徴とする、主画面と補助画面からなるモニタを用いるインターネット広告システムを提供する。
【０００７】
なお、本発明は、前述した目的を達成するために、広告データが表示される補助画面と主処理内容が表示される主画面からなるモニタを用いる多数のユーザコンピュータと、広告データやコンテンツ情報等を提供する多数の情報提供サーバと、前記情報提供サーバから提供される広告やコンテンツ情報等をインターネットに連結された多数のユーザコンピュータに伝送してユーザコンピュータの補助画面に表示するシステムサーバとしてネットワークを構築するステップと、前記ユーザコンピュータの補助画面に表示される情報と広告データを多数の情報提供サーバから登録するステップと、ユーザ等を会員として登録するステップと、前記ステップで登録された広告データをユーザコンピュータの補助画面に表示するようにその位置、大きさ、表示時間等を設定するステップとと、ユーザコンピュータの補助画面に表示される画面配置データを伝送して設置するステップと、ユーザコンピュータの補助画面に表示される広告データを伝送して表示するステップと、ユーザがユーザコンピュータの補助画面に表示された各種被選択体の中でいずれかを選択するステップとと、前記ステップでユーザが選択した被選択体のデータやウェブページを主画面に表示するステップで成ることを特徴とする、主画面と補助画面からなるモニタを用いるインターネット広告方法を提供する。
【０００８】
前述したように本発明ではユーザが使用するユーザコンピュータのモニタを別途の内容を各々表示する主画面及び補助画面で成るモニタとして、補助画面に広告やリンク手段等を表示し、ユーザが補助画面に表示される広告やリンク手段を通じて簡単に情報提供サーバに連結して所用の情報を主画面に表示してその情報を得ることによって、補助画面に表示される広告の広告効果を高め、多数のリンク手段を広告手段として同時に利用することによって最大限の広告効果を得ることができる利点がある。
【０００９】
【発明の実施の形態】
以下、本発明は添附図面を参考してより詳しく説明する。
【００１０】
図１は本発明による主画面と補助画面からなるモニタを用いるインターネット広告システムの構成を示したブロック図で、図２は本発明でユーザコンピュータの構成を示したブロック図で、図３は本発明による主画面と補助画面からなるモニタを用いるインターネット広告方法を説明するための順序図で、図４は本発明でユーザコンピュータのオンラインの如何による広告データ処理方法を説明するための順序図で、図５は本発明でユーザが補助画面を使用する過程を説明するための順序図で、図６は本発明で広告主から提供される広告データ処理方法を説明するための順序図で、図７は広告データのデータ構造を説明するためのブロック図で、図８は前記図７に表示した広告データのデータフィールドを用いる方法を説明するための順序図で、図９は本発明による補助画面に表示される画面構成を説明するための例示図で、図１０は本発明によって補助画面のいずれかのベナー（banner）を選択した時それにリンクされているウェブページを主画面に表示することを説明するための例示図で、図１１は本発明によって補助画面の動画像窓を選択した時、これを主画面に拡張して表示することを説明するための例示図である。
【００１１】
本発明による主画面と補助画面からなるモニタを用いるインターネット広告システムの構成は図１及び図２に示したように、ユーザが用いるプログラムの主処理内容が表示される主画面（７４）と、ユーザが使用するコンピュータの使用環境表示とメディア表示とウェブページを連結するリンク手段等が表示される補助画面（７２）で構成されるモニタ（７０）を表示手段として用いるコンピュータで成り、インターネットに連結される多数のユーザコンピュータ（１０）と、前記ユーザコンピュータ（１０）に各種情報とリンク手段をインターネットを通じて提供してそれを前記モニタの補助画面に表示するシステムサーバ（３０）と、前記システムサーバ（３０）に連結されてユーザコンピュータ（１０）の補助画面（７２）に表示される各種情報とリンク手段の被連結体になる多数の情報提供サーバ（４０〜４６）からなる。
【００１２】
前記ユーザコンピュータ（１０）はウェブブラウザーが搭載されている一般的なコンピュータの構成とほぼ同一であるが、前記説明のようにコンピュータのモニタ（７０）が主画面（７４）と補助画面（７２）で構成されるのであるが、画面構成は主画面はＣＲＴ、補助画面はＬＣＤ等で構成されることができるが、場合によっては他の方式でも構成できる。
【００１３】
従って、前記主画面（７４）と補助画面（７２）でなるモニタ（７０）を駆動する画像処理部（６０）は制御部（５０、ＣＰＵ）から出力される表示データを主画面（７４）と補助画面（７２）に分割して出力する機能を有する。
【００１４】
前記画像処理部（６０）はビデオグラフィックアダプタ（ＶＧＡ）として、一つのＶＧＡカードとして二つのモニタを制御し得る機能を有し、コンピュータに二つのＶＧＡカードをさして二つのモニタを駆動することもできる。
【００１５】
なお、前記モニタ（７０）の上端に配置されている補助画面（７２）の左側には被写体を撮影するカメラ（７６）が設置され制御部（５０）に連結され、その右側には音声を入力するマイク（７８）が設置され、コンピュータのサウンドカード（６４）に連結される。
【００１６】
なお、ＴＶ信号やラジオ信号を受信するＴＶ／ラジオ受信カード（５８）が付加されているが、その中で前記ＴＶ信号はユーザの選択によって補助画面（７２）や主画面（７４）に表示される。
【００１７】
図２で未説明符号５２はモデム等のような通信モジュールで、５４はキーボード／マウスのような入力手段で、５６はＲＡＭやハードディスクドライブ（ＨＤＤ）等のようなメモリ、６６は前記サウンドカード（６４）のサウンド信号を出力するスピーカである。
【００１８】
前記システムサーバ（３０）はニュース提供会社のウェブサイトを連結してニュースを検索するニュースサーバ（３１）と、前記ニュースサーバ（３１）によって生成されたニュースを貯蔵するニュースデータベース（以下、ＤＢという）（２３）と、前記ユーザコンピュータ（１０）の補助画面（７２）に表示される広告をユーザコンピュータに供給する広告サーバ（３３）と、前記広告サーバ（３３）によって提供される広告データを貯蔵する広告ＤＢ（３４）と、前記補助画面（７２）を通じて表示されるかまたは選択される視聴覚メディアデータを提供するメディアサーバ（３５）と、前記メディアサーバ（３５）に連結されてメディアデータを提供するメディアＤＢ（３６）と、システムサーバ（３０）をインターネットに連結してホームページを運営するウェブサーバ（２０）と、前記ウェブサーバ（２０）のホームページ運営に必要なデータを貯蔵するホームページＤＢ（３７）と、前記ユーザコンピュータ（１０）を通じて連結されるユーザの中で会員として登録したユーザに対する会員情報を貯蔵する会員ＤＢ（３８）で構成される。
【００１９】
前記情報提供サーバは広告を供給する広告主が運営する多数の広告主サーバ（４０）と、前記多数の広告主サーバ（４０）に各々連結されて広告データを貯蔵する多数の広告主ＤＢ（４２）と、コンテンツ情報を提供する多数のコンテンツ提供サーバ（４４）と、前記多数のコンテンツ提供サーバ（４４）に各々連結されてコンテンツ情報を貯蔵する多数のコンテンツＤＢ（４６）等で構成される。
【００２０】
前述したように構成された本発明による主画面と補助画面からなるモニタを用いるインターネット広告システムを用いるインターネット広告方法は次のように成る。
先ず、本発明による主画面と補助画面からなるモニタを用いるインターネット広告方法を具現するためには広告データが表示される補助画面（７２）と主処理内容が表示される主画面（７４）からなるモニタ（７０）を用いる多数のユーザコンピュータ（１０）と、広告データやコンテンツ情報等を提供する多数の情報提供サーバ（４０〜４６）と、前記情報提供サーバ（４０〜４６）から提供される広告やコンテンツ情報等をインターネットに連結された多数のユーザコンピュータ（１０）に伝送してユーザコンピュータ（１０）の補助画面（７２）に表示するシステムサーバ（３０）としてネットワークを駆逐すべきである。
【００２１】
このシステムを用いるインターネット広告方法は前記ユーザコンピュータ（１０）の補助画面（７２）に表示される情報と広告データを多数の情報提供サーバ（４０〜４６）から登録するステップ（Ｓ１０）と、ユーザ等を会員として登録されるステップ（Ｓ１１）と、前記ステップ（Ｓ１０）で登録された広告データをユーザコンピュータ（１０）の補助画面（７２）に表示するようにその位置、大きさ、表示時間等を設定するステップ（Ｓ１２）と、ユーザコンピュータ（１０）の補助画面（７２）に表示される画面配置データを伝送して設置するステップ（Ｓ１３）と、ユーザコンピュータ（１０）の補助画面（７２）に広告データを伝送して表示するステップ（Ｓ１４）と、ユーザがユーザコンピュータ（１０）の補助画面（７２）に表示された各種被選択体中いずれかを選択するステップ（Ｓ１５）と、前記ステップ（Ｓ１５）でユーザが選択した被選択体のデータやウェブページを主画面に表示するステップ（Ｓ１６）からなる。
【００２２】
なお、本発明はインターネットに接続して広告データを受信すると同時に一定分量の広告をユーザコンピュータ（１０）のメモリ（５６）の中で補助記憶装置（ＨＤＤ等）に貯蔵し、通信断切状態である時貯蔵された広告をローディングして表示することによって、オンライン状態ではないオフライン状態でも広告し得る。
【００２３】
本発明に於いてネットワークを基準とした構成員は大きく広告を発注する広告主とこれらから広告費を受けて広告を掲載するシステムサーバ運営者と前記システムサーバ（３０）に連結され広告を視聴する広告対象であるユーザ（会員）に分類される。
【００２４】
本発明によって広告はインターネットを通じて連結されているユーザコンピュータ（１０）の補助画面（７２）にいつも表示され、広告日程の管理機能によって週期的に変化する。
【００２５】
この時、ユーザのコンピュータ（１０）の補助画面（７２）に表示される広告は図４に図示したような広告表示方法によって表示される。
【００２６】
ユーザのコンピュータ（１０）に電源が連結すると、オンライン状態の如何を確認して（Ｓ２０）、オンライン状態であれば、即時インターネット通信網を提供するＩＳＰ業体を通じる通信連結指図が行なわれ、該当ユーザの利用可能の如何がシステムサーバ（３０）のウェブサーバ（２０）に搭載されている認証システムとの接続を通じて連結される（Ｓ２１）。
【００２７】
前記連結過程が正常的に遂行されると、広告サーバ（３３）は他の広告データをユーザコンピュータ（１０）に送出して（Ｓ２２）、ユーザコンピュータ（１０）が広告データを受信するようにする（Ｓ２３）。
【００２８】
受信された広告はユーザコンピュータ（１０）のＨＤＤのようなメモリ（５６）に貯蔵され（Ｓ２４）、同時にユーザコンピュータ（１０）にローディングされ（Ｓ２５）、補助画面（７２）を通じていつも表示され（Ｓ２６）、その表示内容は広告日程の管理プログラムによって週期的に変化する。
【００２９】
この時、ユーザコンピュータ（１０）に受信された広告の一部はユーザコンピュータ（１０）のハードディスクのようなメモリ（５６）に一部貯蔵しておいてから通信障碍や通信中断による広告データ受信が不可能であるオフライン状態で貯蔵された広告をローディングして（Ｓ２０１）表示する。
【００３０】
この時、受信される広告は基本的に図７に図示したように基本部（８０）と拡張部（８５）を包含するのであるが、基本部（８０）は広告データの登録コードを表示する広告コード（８１）、補助画面（７２）に実際に表示される絵や文字等の資料である広告データ（８２）、ユーザの入力信号によって該当広告の詳細な情報を提供し得るウェブページ呼出にリンク情報を貯蔵するリンクデータ（８３）等で構成される。
【００３１】
なお、拡張部（８５）は可変情報を貯蔵しているが、広告日程の管理プログラムの送出基準となる時間データ（８６）、表示位置に影響を及ぼす表示位置データ（８７）、広告の効果を点検し得る評価情報（８８）等の項目で構成される。
【００３２】
前記広告データ構造を用いる広告データ表示過程を図５で説明する。
広告を受信するための一連の過程即ち、通信連結ステップ（Ｓ３０）、ユーザ認証ステップ（Ｓ３１）、補助画面（７２）を構成するステップ（３２）、補助画面（７２）に広告データを表示するステップ（Ｓ３３）が遂行された状態で、補助画面（７２）に構成された各々の広告はユーザの入力信号を待つ待期状態である（Ｓ３４）。
【００３３】
この時、ユーザのクリック信号が発生すると（Ｓ３６）、呼出プログラムによって先ず、入力されたキーの値と選択された対象を分析し、選択された対象がウェブコードを包含する文書呼出部、即ち、リンクデータを有していると、ユーザコンピュータ（１０）の主画面（７４）にウェブブラウザーをローディングし（Ｓ３７）、リンクデータに連結される該当ウェブページをローディングする（Ｓ３８）。
【００３４】
なお、選択された対象がウェブコードを有しない代わりにサーブメニューでなっていると、該当サーブメニューを段階的に選択して、段階的な質疑過程を遂行した後、最終的にユーザコンピュータ（１０）の主画面（７４）にプログラムローディングまたはウェブページローディング過程を遂行する（Ｓ３６１、Ｓ３６２、Ｓ３６１１、Ｓ３６１２、Ｓ３６１３）。
【００３５】
図６及び図８はシステムサーバ運営者の広告業務流れと広告掲載過程を概略的に示した一例として、広告主等から広告を募集し（Ｓ４０）、広告放送日程、広告の大きさ、位置等に対する計劃を樹立した後（Ｓ４１）、広告主等から依頼された広告を製作して広告ＤＢ（３４）に貯蔵し（Ｓ４２）、従前のデータ中アップデイトされた情報がある場合資料を更新する（Ｓ４３）。
【００３６】
設定されたシナリオによって（Ｓ４４）、広告データは接続されたユーザ（会員）に伝送し（Ｓ４５）、伝送した広告情報はユーザコンピュータ（１０）に貯蔵されると同時に設定された時間の間隔毎にユーザの補助画面（７２）に順次表示される一連の過程が反復的に遂行される。
【００３７】
ここで、前記補助画面（７２）に広告データを表示する設定条件は広告主が広告データを伝送しながら広告日程プログラムを付加して伝送することによって、その広告日程プログラムによって周期的に変化して表示される。
【００３８】
図８はユーザ等をそれらの特性に合せるグループで分類して広告データを分類して伝送することによって広告効果を高メール方法に関することを説明するための順序図として、その過程はインターネットに連結して（Ｓ５０）、ウェブサーバ（２０）で広告主及びコンテンツ提供者のサーバ（４０、４４）に接続して（Ｓ５１）広告主から広告を募集するステップ（Ｓ５２）と、広告サーバ（３３）をサーバホストに連結して（Ｓ５３）、設定された会員グループに合せる広告情報を選定するステップ（Ｓ５４）と、設定された広告周期、形態、表示位置等を決定してユーザ等に伝送するステップ（Ｓ５５）と、伝送された広告データを補助画面（７２）に表示するステップ（５６）と、広告週期が変更すると、前記広告週期変更ステップ（Ｓ５５）に移動するステップ（Ｓ５７）と、広告内容が変更されると、前記会員グループ別広告情報選定ステップ（Ｓ５４）に移動するステップ（Ｓ５８）からなる。
【００３９】
ここで、ユーザ等を属性別に分類する方法は広告データ別クリック回数、ニュース検索分野、コンテンツ情報利用分野等を分析して分類する。
【００４０】
一方、前記ユーザコンピュータ（１０）に連結されているモニタ（７０）の補助画面（７２）に表示される画面配置の実施例は図９に示したように、上端中央には動画像広告やＴＶ（前記ＴＶ／ラジオカード（５８）による）を視聴し得る動画像窓（９１）が表示され、左側端には情報提供サーバをワンクリックで連結するベナー（９２）が配置され、右側端には業種別に選択された一つのリンク住所が包含されているリンク手段（９４）が配置され、前記リンク手段（９４）の上端には時計、月歴等が表示される時計窓（９３）が表示され、前記動画像窓（９１）の下端にはユーザがインターネットＵＲＬ住所を直接入力し得るＵＲＬ入力窓（９７）が配置され、前記動画像窓（９１）とＵＲＬ入力窓（９７）間には動画像ファイル制御板またはウェブ放送等をリンクするメディア操作板（９６）が配置され、前記時計窓（９３）の下端には動画像広告または静止画像広告ができるように前記左側端に表示されたベナー（９２）の大きさより相対的に大きく形成されている広告窓（９８）が配置され、前記広告窓（９８）の右側にはネットワークゲームや実時間ゲームまたはイベント行事に対する情報を提供するイベント窓（９５）が表示され、前記広告窓（９８）の下端にはユーザが主に用いるプログラムを実行して主モニタに表示する多数の短縮キー（ストレートキー９９）が配置され、前記短縮キー（９９）の下端にはニュースサーバ（３１）から提供されるニュースが右側から左側または上部にスクロールされるように表示されるニュース窓（１００）が配置される。
【００４１】
ここで、前記補助画面（７２）に表示される各種窓等の配置は場合によって多様に配置されて運用できる。
【００４２】
以下、前記補助画面（７２）に表示される各表示窓の利用例を図１０及び図１１で詳しく説明する。
図１０は前記ホームページベナー（９０）の下端に配置されている広告ベナー（９２）に対する例示画面で、例えば補助画面（７２）の左側上部に配置されている‘ｍｂｃ’（９２）をクリックすると、主画面（７４）にはウェブブラウザーを通じて連結された‘ｍｂｃ’のホームページ（９２−１）が表示される。
【００４３】
図１１は補助画面（７２）の動画像窓（９１）をクリックすると、動画像窓（９１）に表示されている動画像のような内容の動画像を主画面（７４）に最大画面動画像窓（９１−１）で拡大して表示する実施例である。
【００４４】
前記動画像窓（９１）に表示される動画像はメディアサーバ（３５）により供給される動画像が表示されるが、ユーザコンピュータ（１０）の画像処理装置（６０）と連動して表示されるＴＶ／ラジオカード（５８）を通じて受信される一般放送ＴＶやケーブルＴＶの信号を選択して表示することもできる。
【００４５】
前述したように、本発明による情報と広告の利用率を極大化し得る方法は本発明によるモニタを使用するユーザ数の増大にある。
この条件を満足するためには次のような方案を通じて達成し得る。
前記システムサーバ（３０）を運営するシステム管理会社と、インターネット通信網を運営するインターネットプロバイダ（ＩＳＰ）と、本発明によるモニタを生産するモニタ生産業者と、モニタ（７０）の補助画面（７２）に表示される広告を発注する多数の広告主等をして、たとえばカルテルを形成することができる。
【００４６】
このようにカルテルを形成した後、投資者から資金を留置して、資金を確保した後モニタ生産業者をして本発明のモニタ（７０）を生産し、このように生産されたモニタ（７０）はユーザ等に無償供給または購入補助金、または通信会社の通信利用料金に対する割引適用または無料適用のような方式でモニタ（７０）を使用するユーザグループを最大限多く確保する。
【００４７】
ここで、本発明が適用できる事業成功の関鍵は最大限多くのユーザグループを確保することであるが、ユーザに最大限多く供給するためにモニタ（７０）を無償で供給すると、初期投資費用が過多に所要されるので、事業の進行状況に合せてユーザに提供するサービスの質と量を異にすることができる。
【００４８】
ユーザグループを最大限多く確保すると、これは結果的に広告主から発注される広告の広告費を最大限高く策定し得るから収益性が増大するのでユーザ等に対するサービスの質を向上し得る。
【００４９】
即ち、補助画面（７２）に表示される広告や多様なリンク手段を通じて連結される情報提供会社から供給される情報の質を向上し得、情報の質向上はより多くのユーザグループを形成し得る早道になることもできる。
【００５０】
結局、ユーザ等に対するサービス向上は、即ち収益性が増大する結果を創出する。
【００５１】
上述したように、本発明は、モニタを主画面と補助画面とし、前記補助画面に多数のリンク手段を表示して使用者が望むリンク手段を選択すると、リンクされた資料が使用者の主画面に表示されることによって、モニタの主画面にウェブブラウザを通じるウェブページの表示如何と関係なくいつも使用者が前述した補助画面を通じて広告を見知できるようにして広告効果を向上し得る主画面と補助画面からなるモニターを用いるインターネット広告システム及びその方法に関し、使用者が用いるプログラムの主処理内容が表示される主画面（７４）と、使用者が使用するコンピュータの使用環境表示とメディア表示とウェブページを連結するリンク手段等が表示される補助画面（７２）で構成されるモニタ（７０）を表示手段として用いるコンピュータでなり、インターネットに連結される多数の使用者コンピュータ（１０）と、前記使用者コンピュータ（１０）に各種情報とリンク手段をインターネットを通じて提供してそれを前記モニタの補助画面に表示するシステムサーバ（３０）と、前記システムサーバ（３０）に連結されて使用者コンピュータ（１０）の補助画面（７２）に表示される各種情報とリンク手段の被連結体になる多数の情報提供サーバ（４０〜４６）からなる。
【００５２】
【発明の効果】
前述したように本発明による主画面と補助画面からなるモニタを用いるインターネット広告システム及びその方法はモニタに別途の補助画面を設置し、その補助画面に於いて常時広告が浮くようにして、電源が連結されている限り多様な広告を持続的に放送し得るインターネット広告放送システムを通じて時間と空間の制約を克服して広告効果を極大化し得、ユーザには広告に影響を受けない他の作業環境を提供することによって作業效率を高め、必要な情報を容易に獲得することができるという利点がある。
【００５３】
なお、容易な会員管理と放送管理機能を通じて特定人に対して時間帯別に選択的な広告ができ、広告主の意図と顧客の要求を一致して不必要な広告費の支出をなくし、有益な情報が提供されることができる利点がある。
【００５４】
以上、本発明は特定の好ましい実施例をあげて説明したが、本発明は前述した実施例に限定されなく、本発明の精神から外れない範囲内で当該発明が属する技術分野で通常の知識を有する者により多様な変更と修正が可能である。
【図面の簡単な説明】
【図１】本発明による主画面と補助画面からなるモニタを用いるインターネット広告システムの構成を示したブロック図。
【図２】本発明でユーザコンピュータの構成を示したブロック図。
【図３】本発明による主画面と補助画面からなるモニタを用いるインターネット広告方法を説明するための順序図。
【図４】本発明でユーザコンピュータのオンラインの如何による広告データ処理方法を説明するための順序図。
【図５】本発明でユーザが補助画面を使用する過程を説明するための順序図。
【図６】本発明で広告主から提供される広告データ処理方法を説明するための順序図。
【図７】広告データのデータ構造を説明するためのブロック図。
【図８】前記図７に表示した広告データのデータフィールドを用いる方法を説明するための順序図。
【図９】本発明による補助画面に表示される画面構成を説明するための例示図。
【図１０】本発明によって補助画面のいずれかのベナーを選択した時、それにリンクされているウェブページを主画面に表示することを説明するための例示図。
【図１１】本発明によって補助画面の動画像窓を選択した時、これを主画面に拡張して表示することを説明するための例示図。
【符号の説明】
１０：ユーザコンピュータ
２０：ウェブサーバ
３０：システムサーバ
３１：ニュースサーバ
３２：ニュースＤＢ
３３：広告サーバ
３４：広告ＤＢ
３５：メディアサーバ
３６：メディアＤＢ
４０：広告主サーバ
４２：広告主ＤＢ
４４：コンテンツ提供サーバ
４６：コンテンツＤＢ
５０：制御部
５２：通信モジュール
５４：キーボード／マウス
５６：メモリ
５８：ＴＶ／ラジオ受信カード
６０：画像処理部
６４：サウンドカード
６６：スピーカ
７０：モニタ
７２：補助画面
７４：主画面
７６：カメラ
７８：マイク
【図１】
0004119079.tif 000002
【図２】
0004119079.tif 000003
【図３】
0004119079.tif 000004
【図４】
0004119079.tif 000005
【図５】
0004119079.tif 000006
【図６】
0004119079.tif 000007
【図７】
0004119079.tif 000008
【図８】
0004119079.tif 000009
【図９】
0004119079.tif 000010
【図１０】
0004119079.tif 000011
【図１１】
0004119079.tif 000012